(57)【要約】液滴形態での医療用製品の滴下のための医療用デバイス（１００）が開示され、デバイスは、中空円筒形の本体（１０）と、中空円筒形の本体（１０）の内側で摺動自在に移動でき、かつ、ゴムワッシャ（４０）が固定される頭部（２１）を備える、ロッド（２０）であって、ワッシャが、ロッド（２０）の摺動中、中空円筒形の本体（１０）の内表面と接触しているロッド（２０）とを備える。ロッド（２０）は、異なる直径の２つの部分（２２、２４）として形成され、デバイス（１００）は、中空円筒形の本体（１０）とロッド（２０）との間に、ロッド（２０）のより大きい円形断面を持つ部分（２２）の通過を妨げる止め具（３２）が設けられる密閉ブッシュ（３０）をさらに備える。
2019525795.tif 000002
【特許請求の範囲】
【請求項１】
液滴形態での医療用製品の滴下のための医療用デバイス（１００）であって、
−  中空円筒形の本体（１０）と、
−  前記中空円筒形の本体（１０）の内側で摺動自在に移動でき、かつ、ゴムワッシャ（４０）が固定される頭部（２１）を備える、ロッド（３０）であって、前記ワッシャは、前記ロッド（３０）の摺動中、前記中空円筒形の本体（１０）の内表面に接触しているロッド（３０）と
から成り、
−  前記ロッド（２０）が、異なる直径の２つの部分（２２、２４）として形成されること、および、前記デバイス（１００）が、中空円筒形の本体（１０）とロッド（２０）との間に、前記ロッド（２０）のより大きい円形断面を持つ前記部分（２２）の通過を妨げる止め具（３２）が設けられる密閉ブッシュ（３０）を備えることを特徴とするデバイス（１００）。
【請求項２】
前記中空円筒形の本体（１０）は、前記中空円筒形の本体（１０）の内径よりも小さい内径を持つ前端部分（１２）を有し、機械的な止め具（１９）が、前記前端部分（１２）上に画定されている請求項１に記載のデバイス（１００）。
【請求項３】
前記ロッド（２０）のより大きい円形断面を持つ前記部分（２２）は、前記止め具（３２）と前記機械的な止め具（１９）との間に限定されたストロークを有する請求項２に記載のデバイス（１００）。
【請求項４】
前記前端部分（１２）は、使用者による前記デバイス（１００）の把持を改善するように設計された多角形の形状の外表面（１５）を有する請求項２または３に記載のデバイス（１００）。
【請求項５】
前記中空円筒形の本体（１０）は、前記密閉ブッシュ（３０）を収容するための座（１３）を画定する後端部分（１４）を有する請求項１乃至４のいずれか一項に記載のデバイス（１００）。
【請求項６】
前記密閉ブッシュ（３０）は、前記中空円筒形の本体（１０）内に形成された相補的なかみ合い結合する手段（１７）と協働するように構成された少なくとも１つのかみ合い結合する手段（３４）を有する請求項１乃至５のいずれか一項に記載のデバイス（１００）。
【請求項７】
前記密閉ブッシュ（３０）の前記かみ合い結合する手段（３４）は、前記密閉ブッシュの外表面（３３）上に形成された１対の溝（３４）から成り、前記中空円筒形の本体（１０）の前記相補的なかみ合い結合する手段（１７）は、前記中空円筒形の本体（１０）の前記後端部分（１４）の内表面（１８）上に形成されたリブ（１７）から成り、またはその逆である請求項６に記載のデバイス（１００）。
【請求項８】
前記ロッド（２０）の自由端部（２６）において前記ロッド（２０）と結合され得るスライダ（５０）も備える請求項１乃至７のいずれか一項に記載のデバイス（１００）。
【請求項９】
前記スライダ（５０）は、前記ロッド（２０）の前記自由端部（２６）を収容するための座（５１）を画定する中空の本体（５２）を備える請求項８に記載のデバイス（１００）。
【請求項１０】
前記スライダ（５０）は、前記ロッド（２０）に形成された相補的なかみ合い結合する手段（２７）と協働するように構成された少なくとも１つのかみ合い結合する手段（５３）を有する請求項９に記載のデバイス（１００）。
【請求項１１】
前記スライダ（５０）の前記かみ合い結合する手段（５３）は、前記座（５１）の内表面上に形成された１対の溝（５３）から成り、前記ロッド（２０）の前記相補的なかみ合い結合する手段（２７）は、前記ロッド（２０）の前記自由端部（２６）に形成された１対のリブ（２７）から成り、またはその逆である請求項１０に記載のデバイス（１００）。
【発明の詳細な説明】
【技術分野】
【０００１】
本発明は、医療製品を少用量で滴下するための、また、ルアーロック継手のためのアダプタが取り付けられ得る瓶から医療用液体を引き抜くための、点滴器またはシリンジデバイスに関する。より詳細には、本発明は、制御された容積点滴器（controlled volume dropper）（以下、制御容積点滴器）に関する。
【０００２】
本発明の応用分野は、薬物、具体的には眼液剤（eye solution）の滴下による適用のための医療機器に関するものである。詳細には、本発明による制御容積点滴器は、その内側で密閉されたプランジャが摺動し、また、人体内に流体を注入するかまたは人体内の流体を引き抜く、中空円筒形の本体によって形成される点滴器の範疇に入るものである。
【０００３】
制御容積点滴器は、比較的少なくかつ予め定められた体積の医療製品を吸引および投与するが注射はしないデバイスである。本発明は、取り扱うにはあまりにも小さいシリンダ／リザーバの断面を必要とするであろう少用量の流体の投与を、一般的な寸法のシリンジを使用して可能にする。
【０００４】
当技術分野で知られているように、シリンジ注射器（syringe injector）の動作原理は十分に文書化されているが、本明細書では、関連する現行技術は、投与される流体の体積を機械的に制御するためのシステムが応用されるシリンジに関するものである。
【背景技術】
【０００５】
現行技術は、流体の制御された体積の分注を達成することを目的とした多数の発明および解決策によって表される。
【０００６】
第２のチャンバがより細くかつ目盛りの付いた部分を有する、二重の容積測定のチャンバが提案されている（例えば、特許文献１参照）。同様の解決策であるが、２つのリザーバが同一のシリンダ内に収容される解決策が提案されている（例えば、特許文献２参照）。プランジャのストロークを前もって制限して、注射される液体の体積を決定する、機械的な止め具が導入されている（例えば、特許文献３参照）。二重チャンバとプランジャの機械的な止め具とを有する、２つのシステムの「融合」から成るものもある（例えば、特許文献４参照）。同様に、流体の圧力が２つのチャンバ間で一定であり続けるように、一方を他方の内側に挿入して２つのリザーバを連絡させる、類似の容積測定の制御システムも示されている（例えば、特許文献５参照）。
【０００７】
現在市場に出ているシステムのほとんどが、２つの主な欠点を有する：
−  それらは、少量の制御された体積を滴下しなければならないという事実にもかかわらず、かさばっていて、操作するのに複雑であり、かつ、取扱いが容易ではない。要するに、それらは、片手だけでの使用を可能にしない。  
−  第２の欠点は、それらが組み立てるのに複雑なデバイスであることである。部品の組立ては、結果的に高い製造費用をもたらし、また、それらの複雑さを考えると、部品は、位置のずれにさらされて、操作に対する能力を損ない、かつ、使用を難しくする。
【先行技術文献】
【特許文献】
【０００８】
【特許文献１】中国実用新案第２０２１１３４３０号明細書
【特許文献２】中国実用新案第２０２９８２８０１号明細書
【特許文献３】台湾特許出願公開第２０１４０２１６５号公報
【特許文献４】国際公開第２０１４／１６４４１９号
【特許文献５】国際公開第２０１４／１６４６８５号
【発明の概要】
【発明が解決しようとする課題】
【０００９】
本発明の主な目的は、知られたタイプのデバイスに関連して上記で述べられた欠点を克服するかまたは少なくとも低減するように構成された点滴器を提供することである。
【課題を解決するための手段】
【００１０】
より具体的には、本発明は、
−  それが、製品の液滴を滴下しかつ３本の指で操作され得る通常のシリンジのように機能し、
−  それが、使用とともに悪変し得る遊びまたは継手を伴わずに、完全に整合する機械的な要素−シリンダ、ロッド、および支持表面または止め具−で構成され、
−  それが、薬物がその容器から容易に引き抜かれることを可能にする
という点で、これらの欠点を克服する。
【００１１】
したがって、本発明によれば、液滴形態での医療製品、具体的には眼科用製品の滴下のために、
−  中空円筒形の本体と、
−  中空円筒形の本体の内側で摺動自在に移動でき、かつ、ゴムワッシャが固定される頭部を備える、ロッドであって、ワッシャが、ロッドの摺動中、中空円筒形の本体の内表面と接触しているロッドと
を備える医療用デバイスが提供される。
【００１２】
デバイスは、ロッドが、異なる直径の２つの部分で形成されること、および、それが、中空円筒形の本体とロッドとの間に、ロッドのより大きい円形断面を持つ部分の通過を妨げる止め具が設けられる密閉ブッシュを備えることを特徴とする。
【００１３】
さらに、デバイスは、側部表面が丸くなるのではなく多角形になるように、円筒形の表面ではなく傾斜した平坦な面をルアーロック帯に有する。この形状は、薬物の移動とその後の眼へのその滴下とを行うために点滴器をアダプタに「ねじ込む」必要がある患者のために、グリップを大幅に強める。
【図面の簡単な説明】
【００１４】
本発明のさらなる特徴および利点は、非限定的な例として添付の図面に示された本発明による点滴器またはシリンジの好ましいが、排他的ではない実施形態に関する説明から、より明らかになるであろう。
【図１】完全に開口する位置、すなわち、中空円筒形の本体からロッドが完全に後退された位置における、本発明によるデバイスの側面図である。
【図２】完全に閉塞された位置、すなわちロッドが中空円筒形の本体の内側に完全に挿入された位置における、図１のデバイスの背面図である。
【図３】図２の線ＩＩＩ−ＩＩＩに沿った断面図である。
【図４】図１の線ＩＶ−ＩＶに沿った断面図である。
【図５】ルアーロック継手帯における多角形の把持表面を詳細に示す、本発明によるデバイスの中空円筒形の本体の斜視図である。
【図６】図５の中空円筒形の本体の長手方向に切断された図である。
【図６ａ】図６において囲まれて示された細部の詳細な図である。
【図７】本発明によるデバイスの密閉ブッシュの斜視図である。
【図８】図７の密閉ブッシュの背面図である。
【図９】図８の線ＩＸ−ＩＸに沿った断面図である。
【図１０】本発明によるデバイスのロッドの側面図である。
【図１１】本発明によるデバイスのスライダの斜視図である。
【図１２】図１１のスライダの正面図である。
【図１３】図１２の線ＸＩＩＩ−ＸＩＩＩに沿った断面図である。
【発明を実施するための形態】
【００１５】
以下、いくつかの例示的な実施形態を特に参照しながら、例示的であるが非限定的な例として、本発明を説明する。
【００１６】
本発明は、以下点滴器と呼ばれるデバイスより成り、このデバイスは、知られておりかつ予め定められた少量の医療製品を抜き取って供給または滴下するために使用され得る。
【００１７】
図１から図４を参照すると、参照番号１００により全体が表される点滴器は、中空円筒形の本体１０と、中空円筒形の本体１０の内側で摺動自在に移動できるロッド２０とを備える。
【００１８】
中空円筒形の本体１０は、前端部分１２および後端部分１４を有し、そのそれぞれが、中空円筒形の本体１０の外径よりも大きい外径を有する。
【００１９】
前端部分１２は、ルアーロック継手１１を備え、かつ、中空円筒形の本体１０の内径よりも小さい内径を有する。前端部分１２の内径は、漏斗状に先細りになり、それにより、滴下すべき医療用液体の１つまたは複数の滴の退出のための通路１６を画定することが、好ましい。したがって、前端部分１２において、中空円筒形の本体１０の内表面に、支持表面または機械的な止め具１９が形成され、これは図６に見ることができる。
【００２０】
好ましくは、また、図５に詳細に示されるように、中空円筒形の本体１０の前端部分１２は、好ましくは八角形の断面とともに、切子面状の（faceted）外表面１５を有する。外表面１５のこの特定の形態は、引き抜かれてその後眼に滴下されるべき医療用液体、例えば眼液剤を収容している瓶またはバイアルの開口部上に設けられた対応するルアーロックアダプタへの点滴器１００の係合またはルアーロックアダプタからの点滴器１００の係脱中に、使用者によるルアーロック継手の把持を有利に改善する。
【００２１】
好ましい実施形態では、切子面状の外表面１５の１つまたは複数の面が、隆起部１５ａを備え、好ましくは４つの隆起部１５ａが、切子面状の外表面１５の１つおきの面上に形成される。
【００２２】
図６を参照すると、後端部分１４は、以下で詳細に説明される密閉ブッシュ３０−図７から９に詳細に示される−のハウジングのための座１３を画定するように、中空円筒形の本体１０の内径よりも大きい内径を有する。
【００２３】
図１０により詳細に示されるように、点滴器１００のロッド２０は、２つの部分を備える。より具体的には、ロッド２０は、より大きい円形断面を持つ第１の部分２２と、より小さい円形断面を持つ第２の部分２４とを有する。ロッド２０の第１および第２の部分２２、２４は、ロッド２０のストローク中に第１の部分２２は中空円筒形の本体１０から出てくることができないが第２の部分２４は中空円筒形の本体１０の内外で摺動することができるようになっている。したがって、ロッド２０の第１の部分２２と第２の部分２４との間の移行帯には、肩２５が存在し、その機能は、この説明の以下の部分でより明らかになる。
【００２４】
ロッド２０はまた、より大きい円形断面を持つ部分２２から延在する頭部２１を有し、この頭部２１には、ゴムワッシャ４０が、例えばかみ合わせられるかまたは接着されるかして、固定される（図３および４）。中空円筒形の本体１０の内側でのロッド２０のストローク中、ゴムワッシャ４０は、中空円筒形の本体１０の内表面と接触し続け、また、点滴器１００の全閉塞の位置−図３に示される−では、ゴムワッシャ４０は、中空円筒形の本体１０の支持表面１９に当接する。
【００２５】
図７から９により詳細に示されるように、密閉ブッシュ３０は、中空円筒形の本体１０の後端部分１４の内径と実質的に同じ外径を有する。密閉ブッシュ３０はまた、支持表面または機械的な止め具３２を備えた内表面３１を有し、以下でより明らかになるように、点滴器１００の使用中、この支持表面または機械的な止め具３２には、ロッド２０の肩２５が当接し得る。
【００２６】
さらに、密閉ブッシュ３０は、その外表面３３に、中空円筒形の本体１０の後端部分１４の座１３の内表面１８上に形成された対応するリブまたは隆起部１７とかみ合って結合する（couple interlockingly）ように構成された少なくとも１つの溝３４、好ましくは環状溝を有する。図面に示された実施形態では、１対の環状溝３４、およびリブ１７が設けられている。あるいは、密閉ブッシュ３０上に少なくとも１つのリブまたは隆起部を設け、中空円筒形の本体１０内に対応する溝を設けることも可能である。
【００２７】
密閉ブッシュ３０と中空円筒形の本体１０との間のこのかみ合い結合（interlocking coupling）は、これら２つの構成要素の、したがって本発明による点滴器１００の組立ての方式を、有利に促進する。
【００２８】
ロッド２０は、そのストローク中、断面の突然の変化、すなわち顕著でありまた接続する半径を持たない第１の部分２２と第２の部分２４との間の支持表面２５と、密閉ブッシュ３０とによって停止される。
【００２９】
それのこの独特の形状、および密閉ブッシュ３０の存在のために、図４に示された点滴器１００の完全な開口中、ロッド２０のより大きい円形断面を持つ第１の部分２２が、密閉ブッシュ３０に、具体的にはロッド２０のより小さい円形断面を持つ第２の部分２４が通過することを可能にするがより大きい円形断面２２が通過することを可能にしないようなものであるその支持表面または機械的な止め具３２にぶつかるので、ロッド２０は、デバイス１００の中空円筒形の本体１０から完全に抜け出ることができない。
【００３０】
ロッド２０のより大きい円形断面を持つ第１の部分２２は、予め定められた長さを有する。このようにして、中空円筒形の本体１０の内部容積Ｖが定められる。典型的には、中空円筒形の本体１０の予め定められた内部容積Ｖは、医療用液体のおおよそ２〜３滴分、すなわち約１３５ｍｍ3に等しい。
【００３１】
したがって、ロッド２０の断面の突然の変化、および、密閉ブッシュ３０の支持表面または機械的な止め具３２は、医療製品の最大の吸引に限界を設けかつロッド２０と密閉ブッシュ３０との間の機械的な支持表面の作成を可能にする、機械的な止め具を決定する。
【００３２】
さらに、ロッド２０の断面の狭まりは、密閉ブッシュ３０と一緒に、確実かつ再現可能な支持表面を得ることを可能にし、これはまた、実現するのが簡単である。
【００３３】
さらに、中空円筒形の本体１０の内側でのロッド２０の摺動運動中、ゴムワッシャ４０と中空円筒形の本体１０の内表面との間に、制御された摩擦が存在する。この摩擦は、滴下されなければならない単一の滴の流れを調整することにとって大変重要なものである。中空円筒形の本体１０と接触して配置されかつロッド２０とかみ合ったゴムワッシャ４０は、この機能を果たす。
【００３４】
点滴器１００は、図１１から１３に詳細に示されたスライダ５０をさらに備え、このスライダ５０は、ロッド２０のより小さい円形断面を持つ第２の部分２４の自由端部２６上にかみ合って結合される（図３）。
【００３５】
スライダ５０は、使用中、中空円筒形の本体１０の内側でロッド２０を操作して眼液剤の量を抜き取りその後に眼内に滴下するために、点滴器１００の使用者により３本の指でつままれるように構成される。
【００３６】
スライダ５０は、具体的には、そこからフランジ５４が延在する中空の−好ましくは円筒形の−本体５２を備える。中空の本体５２は、ロッド２０のより小さい円形断面を持つ第２の部分２４の自由端部２６を収容するための座５１を画定する。
【００３７】
座５１の内表面は、ロッド２０の自由端部２６上に形成されたそれぞれのリブ２７とかみ合って結合するように構成された少なくとも１つの溝、好ましくは環状溝、この実施形態では１対の環状溝５３を備える。ロッド２０とスライダ５０との間のこのかみ合い結合は、有利には、これら２つの構成要素の、したがって本発明による点滴器１００の組立ての方式を促進する。あるいは、ロッド２０のより小さい円形断面を持つ第２の部分２４の自由端部２６上に少なくとも１つのリブを設け、スライダ５０の座５１の内表面上に対応する溝を設けることも可能である。
【００３８】
次に、図３および４を参照しながら、本発明による点滴器１００の操作を開示する。
【００３９】
以下、眼科用液体に言及するが、滴下すべき任意の他の医療用液体の場合にも同一の考慮が全面的に適用可能であることが、理解される。
【００４０】
典型的には２〜３滴である予め定められた量の眼液剤を使用者が彼の／彼女の眼に滴下しなければならないと仮定する。初期状態では、点滴器１００は、図３に示されたその完全に閉塞された位置にあり、ゴムワッシャ４０は、中空円筒形の本体１０の支持表面または機械的な止め具１９に当接している。使用者は、まず、点滴器１００のルアーロック継手１１と、滴下すべき眼液剤を収容しているバイアル（図示せず）の口に設けられたルアーロックアダプタ（図示せず）とを結合する。この結合操作は、中空円筒形の本体１０の前端部分１４の外表面１５の切子面状の形態によって促進される。
【００４１】
続いて、使用者は、点滴器１００のスライダ５０に作用することにより、ロッド２０の肩２５が密閉ブッシュ３０の支持表面または機械的な止め具３２に当接するまで、中空円筒形の本体１０の内側でロッド２０を後退させる。この状況は、図４に示されている。この後退する運動に引き続いて、中空円筒形の本体１０の容積Ｖは、予め定められた量の眼液剤で満たされる。必要な量の眼液剤がバイアルから引き抜かれると、使用者は、点滴器をバイアルから係脱させ、次いで、眼への眼液剤の滴下を進める。この目的のために、彼または彼女は、再びスライダ５０に作用して、ゴムワッシャ４０が中空円筒形の本体１０の支持表面または機械的な止め具１９に当接するまでロッド２０を中空円筒形の本体１０の内側で前方に移動させるように、それに押す力を加え、結果的に眼液剤の滴下が完了する（図３）。すると、滴下の操作は、終了したと見なされ得る。
【００４２】
本発明の利点
試作品を使用して行われた試験では、制御容積点滴器は、考慮に値する使い易さと、機能的および機械的な特徴の長期間にわたる優れた持続性とを示した。
【００４３】
製造および組立ての費用は、極めて低い。
【００４４】
これらの２つの要素の組合せ、つまり、使い易さおよび低費用は、制御容積点滴器の普及およびマーケティングを比較的容易にする。
【００４５】
デバイスは、３本の指だけで保持される。デバイスの寸法は、この目的のために特に設計されてきた。さらに、眼に滴を滴下するために患者が行わなければならない動作は、滴の滴下の方向におけるものであり、すなわち、患者は、スライダを圧迫しなければならない。デバイスには横方向の力が付与されないので、それは、横に移動せず、揺動することまたは位置を変えることがなく、患者が滴下を容易にかつ安全にまた眼に非常に近い距離で行うことを可能にする。
【００４６】
提供された説明から、本発明の主題を形成する点滴器の特徴は、関連する利点と同様に明らかである。
【００４７】
本発明の教示から逸脱することなく、上述の実施形態のさらなる変形形態が可能である。
【００４８】
最後に、このようにして設計された点滴器は多くの変更および変形を受け得ることが明白である。さらに、全ての細部は、技術的に同等の要素に置き換えられ得る。実際には、技術上の要求に応じて、任意の材料および寸法が使用され得る。
【図１】
2019525795.tif 000003
【図２】
2019525795.tif 000004
【図３】
2019525795.tif 000005
【図４】
2019525795.tif 000006
【図５】
2019525795.tif 000007
【図６】
2019525795.tif 000008
【図６ａ】
2019525795.tif 000009
【図７】
2019525795.tif 000010
【図８】
2019525795.tif 000011
【図９】
2019525795.tif 000012
【図１０】
2019525795.tif 000013
【図１１】
2019525795.tif 000014
【図１２】
2019525795.tif 000015
【図１３】
2019525795.tif 000016
【国際調査報告】
2019525795.tif 000017
2019525795.tif 000018
2019525795.tif 000019
2019525795.tif 000020